(57)【要約】 【課題】画像コンテンツの再生中に、音声コンテンツを自由に選択し再生することのできる画像表示装置、画像音声再生方法、および、この方法を実行させるコンピュータ読取可能なプログラムを提供すること。【解決手段】第１、第２メモリスロットと、光学装置と、スピーカと、これらを制御する制御基板とを備えたリアプロジェクタであって、制御基板は、第１メモリスロットに接続された第１メモリカード内の画像コンテンツを再生し、光学装置に表示させる画像再生部５１と、画像コンテンツ再生中に、第２メモリスロットに、音声コンテンツが記録された第２メモリカードが接続されているか否かを探索する音声コンテンツ探索部５２と、音声コンテンツが探索されると、再生中の画像コンテンツに同期して音声コンテンツを再生し、スピーカから音声出力させる音声再生部５３とを備えている。【選択図】図５
2006217521.tif 000002
【特許請求の範囲】
【請求項１】
記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置であって、
前記制御手段は、
いずれかの記録媒体接続手段に接続された記録媒体に記録された画像コンテンツを再生し、前記画像表示手段に画面表示させる画像再生部と、
画像コンテンツ再生中に、他のいずれかの記録媒体接続手段に、音声コンテンツが記録された記録媒体が接続されているか否かを探索する音声コンテンツ探索部と、
音声コンテンツが探索されると、前記再生中の画像コンテンツに同期してこの音声コンテンツを再生し、前記音声出力手段から音声出力させる音声再生部とを備えていることを特徴とする画像表示装置。
【請求項２】
請求項１に記載の画像表示装置において、
前記記録媒体には、画像コンテンツおよび音声コンテンツを含むコンテンツ種類に応じて各コンテンツを格納するフォルダが予め設定され、
前記音声コンテンツ探索部は、この記録媒体のフォルダ構造に基づいて前記音声コンテンツを探索することを特徴とする画像表示装置。
【請求項３】
請求項２に記載の画像表示装置において、
前記記録媒体のルートフォルダには、前記フォルダ構造内に記録された音声コンテンツの再生順序を示す再生順序ファイルが予め記録され、
前記音声再生部は、前記順序指定ファイルに基づいて音声コンテンツを再生し、前記音声出力手段から音声出力させることを特徴とする画像表示装置。
【請求項４】
請求項１〜請求項３のいずれかに記載の画像表示装置において、
前記制御手段は、前記画像再生部による前記画像コンテンツの再生が終了すると、前記音声再生部による前記音声コンテンツの再生を規制する音声コンテンツ再生規制部を備えていることを特徴とする画像表示装置。
【請求項５】
記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置で実行される画像音声再生方法であって、
前記制御手段は、
いずれかの記録媒体接続手段に接続された記録媒体に記録された画像コンテンツを再生し、前記画像表示手段に画面表示させる画像再生ステップと、
画像コンテンツ再生中に、他のいずれかの記録媒体接続手段に、音声コンテンツが記録された記録媒体が接続されているか否かを音声コンテンツ探索ステップと、
音声コンテンツが探索されると、前記再生中の画像コンテンツに同期してこの音声コンテンツを再生し、前記音声出力手段から音声出力させる音声再生ステップとを実行することを特徴とする画像音声再生方法。
【請求項６】
記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置で実行されるコンピュータ読取可能なプログラムであって、
請求項５に記載の画像音声再生方法を前記制御手段に実行させるコンピュータ読取可能なプログラム。
【発明の詳細な説明】
【技術分野】
【０００１】
本発明は、画像表示装置、この画像装置上で実行される画像音声再生方法、および、この方法を実行させるコンピュータ読取可能なプログラムに関する。
【背景技術】
【０００２】
従来、液晶テレビ、プラズマテレビ、モニタ付デジタルカメラ、および、リアプロジェクタ等の画像表示装置の分野において、記録媒体に記録された画像コンテンツを読取り、再生する機能が実用化されている。このような機能を備えた画像表示装置には、記録媒体が接続される記録媒体接続手段が備えられている。
近年、このような画像表示装置に対して、音楽を流しながら画像コンテンツを鑑賞したいという要望が出されている。これに対し、画像および音声を同期させて再生することのできる画像表示装置が開示されている（例えば、特許文献１参照）。
【０００３】
特許文献１の画像再生システムは、画像再生システムを構成する画像表示装置が、この画像表示装置に接続された記録媒体に記録された画像コンテンツおよび音声コンテンツを読取り、これらコンテンツの再生を行うものである。このような特許文献１の画像再生システムによれば、鑑賞者は、画像コンテンツを鑑賞ながらバックグラウンドミュージック（ＢＧＭ）として音楽を楽しむことができる。なお、特許文献１の画像再生システムでは、画像コンテンツおよび音声コンテンツは、１つの記録媒体に記録されている。
【０００４】
【特許文献１】特開平６−２８４３８３号公報
【発明の開示】
【発明が解決しようとする課題】
【０００５】
前述のように、特許文献１に記載の画像表示装置では、画像コンテンツおよび音声コンテンツは、１つの記録媒体に記録されている。このため、ある画像コンテンツを鑑賞している際に、ＢＧＭとして再生することのできる音声コンテンツは、当該画像コンテンツと同じ記録媒体に記録されているものに限られる。つまり、当該画像コンテンツの鑑賞に対し、流すことのできる音楽が制限される。
さらに、例えば、鑑賞者が複数の記録媒体に記録された様々な音声コンテンツの中から、ある画像コンテンツに最適な音声コンテンツを選定したい場合がある。この場合、鑑賞者は、まず、選択したい音声コンテンツをある画像コンテンツが記録された記録媒体に記録し直さなければならず、音声コンテンツの選定および再生が煩雑となる。
このように、特許文献１に記載の画像表示装置では、ある画像コンテンツの再生を鑑賞する際に、様々な音楽を流しながら鑑賞したいという鑑賞者の要望に、必ずしも十分に応えていないという問題がある。
【０００６】
本発明の目的は、画像コンテンツの再生中に、音声コンテンツを自由に選択し再生することのできる画像表示装置、画像音声再生方法、および、この方法を実行させるコンピュータ読取可能なプログラムを提供することである。
【課題を解決するための手段】
【０００７】
前記した目的を達するために、本発明の画像表示装置は、記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置であって、前記制御手段は、いずれかの記録媒体接続手段に接続された記録媒体に記録された画像コンテンツを再生し、前記画像表示手段に画面表示させる画像再生部と、画像コンテンツ再生中に、他のいずれかの記録媒体接続手段に、音声コンテンツが記録された記録媒体が接続されているか否かを探索する音声コンテンツ探索部と、音声コンテンツが探索されると、前記再生中の画像コンテンツに同期してこの音声コンテンツを再生し、前記音声出力手段から音声出力させる音声再生部とを備えていることを特徴とする。
【０００８】
ここで、画像表示装置としては、液晶テレビ、プラズマテレビ、モニタ付デジタルカメラ、および、プロジェクタ等を挙げることができる。また、記録媒体としては、ＣＤ−Ｒ、ＣＤ−ＲＷ、ＤＶＤ−ＲＷ、ＤＶＤ−ＲＡＭ等のディスク型記録装置や、フラッシュメモリを用いたメモリカード、ＵＳＢメモリ、および、ＥＥＰＲＯＭ等を挙げることができる。
さらに、画像コンテンツとして、例えば、デジタルカメラによって撮影された写真データや、パーソナルコンピュータで作成された画像データ等を挙げることができる。また、音声コンテンツとして、例えば、インターネットからダウンロードされた音楽データ等を挙げることができる。
【０００９】
本発明の画像表示装置よれば、記録媒体に記録された画像コンテンツが、画像表示手段に画面表示されている状態において、操作者が、音声コンテンツが記録された記録媒体を記録媒体接続手段に接続すると、音声出力手段から音声コンテンツが自動的に出力される。これによれば、操作者は、記録媒体に記録されたある画像コンテンツを鑑賞しながら、別の記録媒体に記録された音声コンテンツを、例えば、バックグラウンドミュージック（ＢＧＭ）として流すことができる。さらに、操作者は、接続された記録媒体内の音声コンテンツを再生させるために、何らかの操作を行う必要はない。従って、画像表示装置は、記録媒体に記録された画像コンテンツとともに、別の複数の記録媒体にそれぞれ記録された音声コンテンツを自由に選択して鑑賞することができる。従って、画像コンテンツの鑑賞に音響効果を付加することができる。さらに、操作の手間を省くことができる。
【００１０】
すなわち、画像表示装置は、複数の記録媒体接続手段を備え、制御手段は、画像再生部、音声コンテンツ探索部および音声再生部を備えて構成されているので、画像再生部が、記録媒体内の画像コンテンツを再生している状態において、音声コンテンツ探索部が、音声コンテンツが記録された記録媒体が接続されているか否かを探索し、音声コンテンツが探索されると、画像コンテンツの再生に同期して、音声再生部が音声コンテンツを再生する。
これによれば、画像表示装置には、複数の記録媒体が同時に接続される。また、画像コンテンツの再生は、音声コンテンツが記録された記録媒体の接続状態に影響されない。さらに、画像コンテンツ再生中に、音声コンテンツが記録された記録媒体の接続が探索されると、音声再生部は、自動的に音声コンテンツを読取り再生する。
従って、記録媒体内の画像コンテンツを再生しながら、別の記録媒体を接続、分離させることができる。また、音声コンテンツを再生させるための操作を簡略化することができる。
【００１１】
本発明では、前記記録媒体には、画像コンテンツおよび音声コンテンツを含むコンテンツ種類に応じて各コンテンツを格納するフォルダが予め設定され、前記音声コンテンツ探索部は、この記録媒体のフォルダ構造に基づいて前記音声コンテンツを探索することが好ましい。
本発明によれば、記録媒体のフォルダ構造において、音声コンテンツを格納するフォルダを、音声コンテンツ探索部に探索させればよい。これによれば、音声コンテンツを探索する場所が特定されるので、探索範囲が縮小され、探索に要する時間を低減させることができる。従って、音声コンテンツの探索が速やかに行われることができる。
【００１２】
本発明では、前記記録媒体のルートフォルダには、前記フォルダ構造内に記録された音声コンテンツの再生順序を示す再生順序ファイルが予め記録され、前記音声再生部は、前記順序指定ファイルに基づいて音声コンテンツを再生し、前記音声出力手段から音声出力させることが好ましい。
本発明によれば、音声再生部は、再生順序ファイルに示された順序に従って、音声コンテンツを選択し再生することができる。これによれば、操作者は、記録媒体に記録された複数の音声コンテンツを、好みの順番で再生させることができる。従って、画像コンテンツの鑑賞に付加される音響効果を再生順序ファイルの内容を変更することにより、一層向上することができる。また、予め再生順序ファイルが記録されているので、設定を変更しない限りは、音声コンテンツの再生のたびに、再生順序を設定する必要がない。従って、音声コンテンツの再生を一層簡略化することができる。
【００１３】
本発明では、前記制御手段は、前記画像再生部による前記画像コンテンツの再生が終了すると、前記音声再生部による前記音声コンテンツの再生を規制する音声コンテンツ再生規制部を備えていることが好ましい。
本発明によれば、音声コンテンツ再生規制部により、画像コンテンツの再生終了に伴って、音声コンテンツの再生が規制されるので、画像コンテンツの再生と音声コンテンツの再生との調和を図ることができる。
例えば、複数の画像コンテンツを連続して表示（スライドショーにて表示）し、これに同期して音声コンテンツが再生されている場合において、このスライドショーの終了に近づくにつれて、音声コンテンツの音量を徐々に低下させ、スライドショーの終了と同時に、音声コンテンツを停止させることができる。これによれば、画像コンテンツのスライドショーを、違和感なく、場合によっては魅力的に終了させることができる。つまり、スライドショーの終了における音響効果を工夫することができる。
【００１４】
本発明は、前述した画像表示装置だけでなく、画像音声再生方法としても構成することができる。すなわち、本発明の画像音声再生方法は、記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置で実行される画像音声再生方法であって、前記制御手段は、いずれかの記録媒体接続手段に接続された記録媒体に記録された画像コンテンツを再生し、画像表示手段に画面表示させる画像再生ステップと、画像コンテンツ再生中に、他のいずれかの記録媒体接続手段に、音声コンテンツが記録された記録媒体が接続されているか否かを音声コンテンツ探索ステップと、音声コンテンツが探索されると、再生中の画像コンテンツに同期してこの音声コンテンツを再生し、音声出力手段から音声出力させる音声再生ステップとを実行することを特徴とする。
【００１５】
本発明によれば、本発明を画像音声再生方法として構成することにより、任意の画像表示装置で実行されることができる。つまり、本発明の画像音声再生方法を採用することにより、前述した画像表示装置の作用および効果を享受できる画像および音声の再生を行うことができるので、汎用性を拡大することができる。
【００１６】
また、本発明は、画像音声再生方法の発明を画像表示装置上で実行させるプログラムとしても構成することができる。すなわち、本発明の画像音声再生プログラムは、記録媒体が接続される複数の記録媒体接続手段と、いずれかの記録媒体接続手段に接続された記録媒体に記録された画像コンテンツを表示する画像表示手段と、いずれかの記録媒体接続手段に接続された記録媒体に記録された音声コンテンツを音声出力する音声出力手段と、これらを制御する制御手段とを備えた画像表示装置で実行されるコンピュータ読取可能なプログラムであって、画像音声再生方法を制御手段に実行させることが好ましい。
【００１７】
本発明によれば、本発明をプログラムとして構成することにより、任意の画像表示装置を、前述した作用および効果を享受できる画像表示装置とすることができるので、汎用性を拡大することができる。
【発明を実施するための最良の形態】
【００１８】
以下、本発明の実施形態を図面に基づいて説明する。なお、各実施形態の説明にあたって、同一構成要件については、同一符号を付し、その説明を省略する。
〔第１実施形態〕
本発明の第１実施形態として、画像表示装置にリアプロジェクタを採用する。リアプロジェクタは、光源から射出された光束を、入力する画像情報に応じて変調して光学像を形成し、形成した光学像を、当該リアプロジェクタに設けられた透光性のスクリーンに拡大投射するものである。
第１実施形態に係るリアプロジェクタ、このリアプロジェクタで実行される画像音声再生方法、および、この方法を実行させるコンピュータ読取可能なプログラムを、図１〜図７に基づいて説明する。
【００１９】
図１は、第１実施形態に係るリアプロジェクタ１および第１、第２メモリカード２１，２２を示す概要斜視図である。
第１実施形態のリアプロジェクタ１は、図１に示すように、記録媒体としてのメモリカード２１，２２が接続される記録媒体接続手段としての第１、第２メモリスロット１１，１２と、第１メモリスロット１１に接続された第１メモリカード２１に記録された画像コンテンツＡ（図２）を表示する画像表示手段としてのスクリーン１３と、第２メモリスロット１２に接続された第２メモリカード２２に記録された音声コンテンツＢ（図３）を音声出力する音声出力手段としてのスピーカ４（図４）と、これらを制御する制御手段としての制御基板５（図４）と、これらを内部に収納する箱状の筐体を備えて構成されている。
【００２０】
（１）外観構成
リアプロジェクタ１は、図１に示すように、筐体を備え、筐体の正面には、差込開口を有する第１、第２メモリスロット１１，１２と、外部に露出されたスクリーン１３と、複数の操作ボタンを有する操作パネル１４と、無数の小孔を有するスピーカ放音孔１５とが設けられている。
記録媒体接続手段としての第１、第２メモリスロット１１，１２には、後述する第１、第２メモリカード２１，２２が挿入され、接続される。操作パネル１４は、操作ボタンを押することで、操作ボタンに対応した制御信号を制御基板５に出力する。スピーカ放音孔１５は、筐体に内蔵された後述するスピーカ４（図４）と対向して形成されており、スピーカ４から出力された音声を外部へ放音する。また、図示を略したが、リアプロジェクタ１には、駆動制御の遠隔操作を行うことができるリモートコントローラが付属されている。リモートコントローラには、同じく操作パネルが設けられている。
第１実施形態では、第１スロット１１に、後述する第１メモリカード２１が予め接続されている。
【００２１】
（２）第１、第２メモリカード２１，２２のフォルダ構成
記録媒体としての第１、第２メモリカード２１，２２は、図１に示すように、情報を記録しておくことのできるカード型の外部記録装置であり、例えば、ＥＥＰＲＯＭ等が採用される。この第１、第２メモリカード２１，２２は、第１、第２メモリスロット１１，１２に挿入されることでリアプロジェクタ１に接続される。また、第１、第２メモリカード２１，２２には、情報の消去・書き込みを自由に行うことができるフラッシュメモリが内蔵されている。
【００２２】
図２は、第１メモリカード２１のフォルダ構造を示す図、図３は、第２メモリカード２２のフォルダ構造を示す図である。
具体的に、第１メモリカード２１には、画像コンテンツＡが記録されている。
第１メモリカード２１には、図２に示すように、Ａｌｂｕｍｓフォルダ２１１と、Ａｌｂｕｍｓフォルダ２１１に格納されたＡＬＢ００１フォルダ２１２およびＡＬＢ００２フォルダ２１３とが設定されている。ＡＬＢ００１フォルダ２１２、ＡＬＢ００２フォルダ２１３には、それぞれ画像コンテンツ２１２Ａ、画像コンテンツ２１３Ａが、ＪＰＧファイルの形で格納されている。これら画像コンテンツＡ（２１２Ａ，２１３Ａ）として、例えば、デジタルカメラによって撮影された写真データや、パーソナルコンピュータで作成された画像データ等が採用される。
【００２３】
第２メモリカード２２には、画像コンテンツＣと、音声コンテンツＢとが記録されている。
第２メモリカード２２は、図３に示すように、Ａｌｂｕｍｓフォルダ２２１と、Ｍｕｓｉｃフォルダ２２３とが予め設定されている。Ａｌｂｕｍｓフォルダ２２１には、前述したＡｌｂｕｍｓフォルダ２１１（図２）と同様に、ＡＬＢフォルダ２２２が格納され、ＡＬＢフォルダ２２２には、画像コンテンツＣが格納されている。
Ｍｕｓｉｃフォルダ２２３には、００１フォルダ２２４、００２フォルダ２２５のように、名の頭にフォルダ番号を備えたフォルダが格納されている。００１フォルダ２２４、００２フォルダ２２５には、それぞれ音声コンテンツ２２４Ｂ、２２５Ｂが格納されている。
音声コンテンツＢ（２２４Ｂ，２２５Ｂ）として、例えば、インターネットからダウンロードされた音楽データ等が採用される。
【００２４】
（３）リアプロジェクタ１の内部構成
図４は、リアプロジェクタ１の内部構成を示すブロック図である。
リアプロジェクタ１の内部には、図４に示すように、入力された画像情報に応じて光学像を形成する光学装置３と、入力された音声情報に応じて音声を出力するスピーカ４と、リアプロジェクタ１の駆動制御を行う制御手段としての制御基板５とが設けられている。
光学装置３は、図示を略したが、光源と、この光源から射出された光束を画像情報に変調して光学像を形成する液晶パネル等の光変調装置と、この光変調装置で形成される光学像を拡大投射する投射レンズとを備えて構成され、投射レンズから投射された光学像は、画面となるスクリーン１３上に投影される。
【００２５】
（３−１）制御基板５の構成
制御基板５は、本発明の制御手段に相当し、ＣＰＵ（Central Processing Unit）５０と、ＲＯＭ（Read Only Memory）５５と、操作パネル１４に電気的に接続されたアナログデジタル変換器（Ａ／Ｄ変換器）１４１と、ドライバＩＣ３１と、スピーカ４に電気的に接続されたデジタルアナログ変換器（Ｄ／Ａ変換器）４１とを備え、これらがバスＤで接続された回路基板として構成されている。
ＲＯＭ５５は、ＣＰＵ５によって処理されるプログラムや各種データが格納されている。具体的には、ＲＯＭ５５には、リアプロジェクタ制御プログラム、後述する画像表示ビューア起動プラグラム、および、画像音声再生プログラム等が格納されている。
Ａ／Ｄ変換器１４１は、操作パネル１４の操作に応じてアナログ信号として入力された制御信号を、デジタル信号へ変換し、バスＤを介してＣＰＵ５に出力する。このデジタル信号は、ＣＰＵ５で処理され、リアプロジェクタ１の駆動が制御される。
ドライバＩＣ３１は、前述の光学装置３を構成する光変調装置の駆動制御を行うものである。
Ｄ／Ａ変換器４１は、デジタル信号として入力された音声情報をアナログ信号に変換し、スピーカ４に出力する。
【００２６】
（３−２）ＣＰＵ５０の構成
図５は、ＣＰＵ５０の詳細な構成を示すブロック図である。
ＣＰＵ５０は、図５に示すように、画像再生部５１と、音声コンテンツ探索部５２と、音声再生部５３と、音声コンテンツ再生規制部５４とを機能的に含んで構成されている。
画像再生部５１は、第１メモリカード２１に記録された画像コンテンツＡを再生し、光学装置３によってスクリーン１３に画面表示させる。つまり、画像再生部５１は、Ａｌｂｕｍｓフォルダ２１１に格納された画像コンテンツ２１２Ａ，２１３Ａとしての画像ファイルを解凍し、１フレーム毎の画像データを生成する。さらに、生成した画像データに基づいて再生制御信号を生成し、画像データとともにドライバＩＣ３１（図４）に出力する。
【００２７】
音声コンテンツ探索部５２は、画像再生部５１による画像コンテンツＡ（２１２Ａ，２１３Ａ）の再生中に、第２メモリスロット１２（図４）に、音声コンテンツＢが記録された第２メモリカード２２が接続されているか否かを判定する。音声コンテンツ２２４Ｂ，２２５Ｂが探索されると、音声コンテンツ探索部５２は、音声コンテンツ検出信号を音声再生部５３へ出力する。この音声コンテンツ探索部５２による駆動制御は、ＲＯＭ５５に格納された画像音声再生プログラムに基づいて行われる。
【００２８】
音声再生部５３は、前記再生中の画像コンテンツＡ（２１２Ａ，２１３Ａ）に同期して、この音声コンテンツＢ（２２４Ｂ，２２５Ｂ）を選択して再生し、スピーカ４から音声出力させる。つまり、音声再生部５３は、音声コンテンツ検出信号を受信すると、音声コンテンツ２２４Ｂ，２２５Ｂとしての音声ファイルを解凍し、この音声ファイルに基づいたデジタル音声信号を生成する。さらに、  音声再生部５３は、このデジタル音声信号をＤ／Ａ変換器４１へ出力する。この音声再生部５３による駆動制御は、ＲＯＭ５５に格納された画像音声再生プログラムに基づいて行われる。
【００２９】
音声コンテンツ再生規制部５４は、画像コンテンツＡの再生状態に応じて音声コンテンツＢの再生を規制する。
ここで、画像コンテンツＡの再生には、画像コンテンツＡを構成する複数の画像が連続して再生（スライドショーにて再生）されることがある。音声コンテンツ再生規制部５４は、この画像コンテンツＡのスライドショーにおいて、選択されたうちの最後の画像が表示されると、画像再生部５１からスライドショーの終了を知らせるスライドショー終了信号を受信する。音声コンテンツ再生規制部５４は、スライドショー終了信号を受信すると、音声再生部５３に対し、再生中の音声コンテンツＢの音量を徐々に低下させ、スライドショーの終了と同時に音声コンテンツＢの再生を停止させる再生規制信号を出力する。この音声コンテンツ再生規制部５４による駆動制御は、ＲＯＭ５５に格納された画像音声再生プログラムに基づいて行われる。
【００３０】
（４）第１実施形態における制御基板５の作用
図６は、制御基板５が実行する作用を示す図である。図７は、画像音声再生中にスクリーン１３に表示される画面を示す図である。
ここで、第１実施形態の制御基板５の作用について、図６に示されるフローチャートに基づいて説明する。
処理Ｓ１において、リアプロジェクタ１の第１スロット１１には、第１メモリカード２１が接続されている。
ここで、画像再生部５１が画像コンテンツＡの再生を行っている場合、スクリーン１３には、図７に示すように、前述した画像再生ビューア起動プログラムに従って、画像再生ビューア１３０が起動されている。画像再生ビューア１３０は、画像コンテンツＡが表示されるＶｉｅｗ領域１３１と、操作メニューが表示されるＭＥＮＵ領域１３２とに分割されている。
【００３１】
Ｖｉｅｗ領域１３１には、画像再生部５１によって、画像コンテンツ２１２Ａ，２１３Ａが列挙して表示されている。
ＭＥＮＵ領域１３２には、選択ボタン１３３，１３４が表示されている。選択ボタン１３３，１３４は、操作者が操作パネル１４（リモートコントローラの操作パネル）を操作することによって選択され、実行される。例えば、スライドショーボタン１３３が選択されると、画像再生部５１は、画像コンテンツＡをスライドショーで再生する。終了ボタン１３４が選択されると、画像再生部５１は、画像コンテンツＡの再生を停止し、画像再生ビューア１３０が終了される。
【００３２】
音声コンテンツ探索部５２は、第２メモリスロット１２の接続状態を監視しており、第２メモリカード２２が接続されているか否かを判定している（Ｓ２）。第２メモリスロット１２に第２メモリカード２２が接続されない場合、処理Ｓ１に戻り、音声コンテンツ探索部５２は、第２メモリスロット１２の接続状態の監視を続行する。
一方、第２メモリスロット１２に第２メモリカード２２が接続されると、画像再生部５１は、現在において、第１メモリカード２１に記録された画像コンテンツＡを再生しているか否かを判定する（Ｓ３）。画像コンテンツＡが再生されていない場合、制御基板５は、操作者によって入力される制御信号が検出されるまで待機する（Ｓ１３）。
【００３３】
一方、画像コンテンツＡが再生されている場合、音声コンテンツ探索部５２は、第２メモリカード２２内を探索し、Ｍｕｓｉｃフォルダ２２３が設定されているかどうか否か判定する（Ｓ４）。Ｍｕｓｉｃフォルダ２２３が検出されない場合、音声コンテンツ探索部５２は作業を終了し、制御基板５は、操作者によって入力される制御信号が検出されるまで待機する（Ｓ１３）。
一方、Ｍｕｓｉｃフォルダ２２３が検出された場合、音声コンテンツ探索部５２は、フォルダ番号Ｎ＝００１を設定する（Ｓ５）。
【００３４】
次に、音声コンテンツ探索部５２は、Ｎフォルダ、つまり、００１フォルダ２２４内を探索し、音声コンテンツ２２４Ｂが格納されているか否かを判定する（Ｓ６）。００１フォルダ２２４内に音声コンテンツ２２４Ｂが格納されていない場合、音声コンテンツ探索部５２は作業を終了し、制御基板５は、操作者によって入力される制御信号が検出されるまで待機する（Ｓ１３）。
一方、００１フォルダ２２４内に音声コンテンツ２２４Ｂが格納されていた場合、音声コンテンツ探索部５２は、音声再生部５３に音声コンテンツ検出信号を出力する。音声再生部５３は、音声コンテンツ検出信号を受信すると、００１フォルダ２２４内の音声コンテンツ２２４Ｂを再生し、スピーカ４から音声出力させる（Ｓ７）。
このとき、スクリーン１３に表示される画像再生ビューア１３０には、図７に示すように、ＭＥＮＵ領域１３２の下部において、音声再生用ビューア１３５が起動される。音声再生用ビューア１３５には、選択ボタンとして、再生ボタン、停止ボタン、および、次の音楽へ移行させるための次ボタン１３５Ｎ等が表示されている。次ボタン１３５Ｎが選択、実行されると、制御基板５にＮＥＸＴ信号が出力される。
【００３５】
処理Ｓ８において、音声コンテンツ探索部５２は、第２メモリスロット１２の接続状態を監視しており、第２メモリカード２２が接続されているか否かを判定している。第２メモリカード２２が第２メモリスロット１２から引出された場合、つまり、第２メモリスロット１２に第２メモリカード２２が接続されていない場合、音声再生部５３は、音声コンテンツ２２４Ｂの再生を停止する（Ｓ１２）。そして、処理Ｓ２に戻り、音声コンテンツ探索部５２は、第２メモリスロット１２の接続状態の監視を続行する。
一方、第２メモリスロット１２に第２メモリカード２２が接続されている場合、音声再生部５３は、音声コンテンツ２２４Ｂの再生を続行する。
【００３６】
処理Ｓ９において、音声コンテンツ再生規制部５４は、画像再生部５１より出力されるスライドショー終了信号が検出されたか否かを判定する（Ｓ９）。スライドショー終了信号が検出された場合、音声再生部５３は、音声コンテンツ再生規制部５４より出力される音量制御信号に基づいて、音声コンテンツ２２４Ｂの音量を徐々に低下させ、スライドショーの終了と同時に音声コンテンツ２２４Ｂの再生を停止する（Ｓ１２）。そして、処理Ｓ２に戻り、音声コンテンツ探索部５２は、第２メモリスロット１２の接続状態の監視を続行する。
一方、スライドショー終了信号が検出されない場合、音声再生部５３は、音声コンテンツ２２４Ｂの再生を続行する。
【００３７】
処理Ｓ１０において、音声再生部５３は、前述したＮＥＸＴ信号が検出されたか否かを判定する。ＮＥＸＴ信号が検出されない場合、音声コンテンツ２２４Ｂの再生を続行し、処理Ｓ８に戻って、音声コンテンツ探索部５２は、第２メモリスロット１２の接続状態の監視を続行する。
一方、ＮＥＸＴ信号が検出された場合、音声再生部５３は、音声コンテンツ２２４Ｂの再生を停止し、フォルダ番号Ｎ＝Ｎ＋００１の演算を行う（Ｓ１１）。次に、処理Ｓ７に戻り、音声コンテンツ探索部５２は、Ｎフォルダ、つまり、００２フォルダ２２５内を探索し、音声コンテンツ２２５Ｂが記録されているか否かを判定する。
【００３８】
第１実施形態によれば、第１メモリカード２１に記録された画像コンテンツＡが、スクリーン１３に画面表示されている状態において、操作者が、音声コンテンツＢが記録された第２メモリカード２２を第２メモリスロット１２に接続すると、スピーカ４から音声コンテンツ２２４Ｂが自動的に出力される。
【００３９】
これによれば、操作者は、第１メモリカード２１に記録された画像コンテンツＡを鑑賞しながら、第２メモリカード２２に記録された音声コンテンツＢを、例えば、バックグラウンドミュージック（ＢＧＭ）として流すことができる。さらに、操作者は、接続された第２メモリカード内の音声コンテンツＢを再生させるために、何らかの操作を行う必要はない。
従って、リアプロジェクタ１は、第１メモリカード２１に記録された画像コンテンツＡとともに、別の複数の第２メモリカード２２にそれぞれ記録された音声コンテンツＢを自由に選択して鑑賞することができる。従って、画像コンテンツＡの鑑賞に音響効果を付加することができる。さらに、操作の手間を省くことができる。
【００４０】
すなわち、リアプロジェクタ１は、複数のメモリスロット１１，１２を備え、制御基板５は、画像再生部５１、音声コンテンツ探索部５２および音声再生部５３を備えて構成されているので、画像再生部５１が、第１メモリカード２１内の画像コンテンツＡを再生している状態において、音声コンテンツ探索部５２が、音声コンテンツＢが記録された第２メモリカード２２が接続されているか否かを探索し、音声コンテンツＢが探索されると、画像コンテンツＡの再生に同期して、音声再生部５３が音声コンテンツＢを再生する。これによれば、リアプロジェクタ１には、複数のメモリカード２１，２２が同時に接続される。また、画像コンテンツＡの再生は、音声コンテンツＢが記録された第２メモリカード２２の接続状態に影響されない。さらに、画像コンテンツＡの再生中に、音声コンテンツＢが記録された第２メモリカード２２の接続が探索されると、音声再生部５３は、自動的に音声コンテンツＢを読取り再生する。従って、第１メモリカード２１に記録された画像コンテンツＡを再生しながら、第２メモリカード２２を接続、分離させることができる。また、音声コンテンツＢを再生させるための操作を簡略化することができる。
【００４１】
また、第１、第２メモリカード２１，２２のフォルダ構造において、音声コンテンツＢを格納するＭｕｓｉｃフォルダ２２３を、音声コンテンツ探索部５２に探索させればよい。これによれば、音声コンテンツＢを探索する場所が特定されるので、探索範囲が縮小され、探索に要する時間を低減させることができる。従って、音声コンテンツＢの探索が速やかに行われることができる。
【００４２】
さらに、音声コンテンツ再生規制部５４により、画像コンテンツＡの再生終了に伴って、音声コンテンツＢの再生が規制されるので、画像コンテンツＡの再生と音声コンテンツＢの再生との調和を図ることができる。
例えば、複数の画像コンテンツＡを連続して表示（スライドショーにて表示）し、これに同期して音声コンテンツＢが再生されている際に、このスライドショーが終了に近づくにつれて、音声コンテンツＢの音量を徐々に低下させ、スライドショーの終了と同時に、音声コンテンツＢを停止させることができる。これによれば、画像コンテンツＡのスライドショーを、鑑賞者によって違和感なく、場合によっては魅力的に終了させることができる。つまり、スライドショーの終了における音響効果を工夫することができる。
また、画像音声再生プログラムを採用することによって、任意の画像表示装置を、前述した作用および効果を享受できる画像表示装置とすることができるので、汎用性を拡大することができる。
【００４３】
〔第２実施形態〕
本発明の第２実施形態として、第１実施形態と同様に、画像表示装置にリアプロジェクタを採用する。
第２実施形態に係るリアプロジェクタ、このリアプロジェクタで実行される画像音声再生方法、および、この方法を実行させるコンピュータ読取可能なプログラムを、図８〜図１０に基づいて説明する。
前述した第１実施形態では、００１フォルダ２２４，００２フォルダ２２５のフォルダ番号Ｎに従って、音声コンテンツ２２４Ｂ，２２５Ｂの再生が行われていた。これに対して、本発明の第２実施形態では、音声コンテンツ２２４Ｂ，２２５Ｂの再生順序を操作者が自由に設定できるように構成した点が相違する。
【００４４】
（５）第２メモリカード６２のフォルダ構成
図８は、第２実施形態に係る第２メモリカード６２のフォルダ構成を示す図である。
第２実施形態の第２メモリカード６２には、図８に示すように、画像コンテンツＣと、音声コンテンツＢと、音声コンテンツＢの再生順序を示す再生順序ファイルとが記録されている。
音声コンテンツＢ（２２４Ｂ，２２５Ｂ）は、第１実施形態と同様に、Ｍｕｓｉｃフォルダ２２３内に設定された００１フォルダ２２４、００２フォルダ２２５に格納されている。
【００４５】
（６）再生順序ファイルの構成
図９は、再生順序ファイルの内容を示す図である。
再生順序ファイルは、特定のファイル名を有するｔｘｔファイルであり、ここでは、特定のファイル名をＭｕｓｉｃとしている。この再生順序ファイルとしてのＭｕｓｉｃファイル７には、図９に示すように、００１フォルダ２２４、００２フォルダ２２５の再生順序を指定する再生順序データ７１が記録されている。
再生順序データ７１には、〔１〕，〔２〕，・・・等の順序番号７２と、各順序番号７２に対応して、フォルダ２２４，２２５のＭｕｓｉｃフォルダ２２２内の所在を示すアドレス７３とが記録されている。図９に示すＭｕｓｉｃファイル７では、１番目に００２フォルダ２２５内の音声コンテンツ２２５Ｂ、２番目に００１フォルダ２２４内の音声コンテンツ２２４Ｂを再生すると指定している。
【００４６】
（７）第２実施形態における制御基板５の作用
図１０は、第２実施形態において、制御基板５が実行する作用を示す図である。
ここで、第２実施形態における制御基板５の作用について、図１０に示されるフローチャートに基づいて説明する。
第２実施形態において、処理Ｓ１〜処理Ｓ３，処理Ｓ１３における制御基板５の作用は、第１実施形態の処理Ｓ１〜処理Ｓ３，処理Ｓ１３（図６）における作用と同様である。
処理ＳＡ４において、音声コンテンツ探索部５２は、第２メモリカード２２内を探索し、Ｍｕｓｉｃファイル７が記録されているか否かを判定する。Ｍｕｓｉｃファイル７が検出されない場合、音声コンテンツ探索部５２は作業を終了し、制御基板５は、操作者によって入力される制御信号が検出されるまで待機する（Ｓ１３）。
【００４７】
一方、Ｍｕｓｉｃファイルが検出された場合、音声コンテンツ探索部５２は、Ｍｕｓｉｃファイル７の再生順序データ７１を読取り、アドレス７３に従って、００１フォルダ２２４、００２フォルダ２２５を探索し、これらフォルダ２２４，２２５内に音声コンテンツ２２４Ｂ，２２５Ｂが格納されているか否かを判定する（ＳＡ５）。００１フォルダ２２４、００２フォルダ２２５内に音声コンテンツ２２４Ｂ，２２５Ｂが格納されていない場合、音声コンテンツ探索部５２は作業を終了し、制御基板５は、操作者によって入力される制御信号が検出されるまで待機する（Ｓ１３）。
【００４８】
一方、００１フォルダ２２４、００２フォルダ２２５内に音声コンテンツ２２４Ｂ，２２５Ｂが格納されていた場合、音声コンテンツ探索部５２は、音声再生部５３に音声コンテンツ検出信号を出力する。音声再生部５３は、音声コンテンツ検出信号を受信すると、Ｍｕｓｉｃファイル７の再生順序データ７１を読取り、指定された順序番号７２に従って音声コンテンツ２２５Ｂ、音声コンテンツ２２４Ｂを選択し、再生する。
第２実施形態において、処理Ｓ８，処理Ｓ９，処理Ｓ１２における制御基板５の作用は、第１実施形態の処理Ｓ８，処理Ｓ９，処理Ｓ１２（図６）における作用と同様である。
【００４９】
第２実施形態によれば、音声再生部５３は、Ｍｕｓｉｃファイル７に示された再生順序に従って、音声コンテンツ２２５Ｂ、音声コンテンツ２２４Ｂの順に選択し、再生する。これによれば、操作者は、第２メモリカード２２に記録された複数の音声コンテンツＢを、好みの順番で再生させることができる。従って、画像コンテンツＡの鑑賞に付加される音響効果をＭｕｓｉｃファイル７の内容を変更することにより、一層向上することができる。また、予めＭｕｓｉｃファイル７が記録されているので、設定を変更しない限りは、音声コンテンツＢの再生のたびに、再生順序を設定する必要がない。従って、音声コンテンツＢの再生を一層簡略化することができる。
【００５０】
（８）前記実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものであり、本発明を限定するものではないから、それらの形状、材質などの限定の一部若しくは全部の限定を外した部材の名称での記載は、本発明に含まれるものである。
【００５１】
前記実施形態では、画像表示装置としてリアプロジェクタ１を採用したが、本発明では、例えば、液晶テレビ、プラズマテレビ、および、モニタ付デジタルカメラ等を採用してもよい。
前記実施形態では、記録媒体としてメモリカード２１，２２，６２を採用したが、本発明では、画像表示装置に対応したものであればよく、例えば、ＣＤ−ＲＷ、ＤＶＤ−ＲＷ、ＤＶＤ−ＲＡＭ等のディスク型記憶媒体等を採用してもよい。
【００５２】
前記実施形態では、操作開始段階において、第２メモリカード２２，６２は、第１メモリカード２１よりも後にリアプロジェクタ１に接続されるとしたが、本発明では、第２メモリカード２２，６２は、第１メモリカード２１よりも先にリアプロジェクタ１に接続されてもよい。この場合、音声再生部５３が、第１メモリカードに記録された画像コンテンツＡを再生したときに、音声コンテンツ探索部５２が、第２メモリスロット１２の接続状況を探索し第２メモリカード２２，６２の接続を確認すると、音声コンテンツ検出信号を出力する。
【００５３】
本発明では、画像コンテンツＡおよび音声コンテンツＢの再生を状況に応じて工夫してもよい。例えば，前記実施形態では、画像コンテンツＡのスライドショーの終了と同時に、音声コンテンツＢの再生も停止させるとしたが、本発明ではこれに限らず、画像コンテンツＡのスライドショーが終了しても、音声コンテンツＢの再生を続行させてもよい。
【００５４】
また、前記実施形態では、音声再生部５３は、音声コンテンツ検出信号を受信すると同時に、音声コンテンツＢの再生を開始するとしたが、本発明では、音声コンテンツ検出信号の受信から所定時間後に、音声コンテンツＢの再生を開始させてもよい。このような工夫によれば、前述のように、第２メモリカード２２，６２を第１メモリカード２２よりも先にリアプロジェクタ１に接続させておき、次に、第１メモリカード２１を接続し、画像コンテンツＡのスライドショーを開始させれば、このスライドショーの開始から所定時間後に音声コンテンツＢの再生を開始させることができる。つまり、スライドショーの特定の時点からＢＧＭを流すことができるので、ＢＧＭによる音響効果をより高めることができる。
【産業上の利用可能性】
【００５５】
本発明は、液晶テレビ、プラズマテレビ、モニタ付デジタルカメラ、および、リアプロジェクタ等の画像表示装置、画像音声再生方法、および、この方法を実行させるコンピュータ読取可能なプログラムに利用することができる。
【図面の簡単な説明】
【００５６】
【図１】本発明の第１実施形態に係るリアプロジェクタを示す概要斜視図。
【図２】前記実施形態に係る第１メモリカードのフォルダ構成を示す図。
【図３】前記実施形態に係る第２メモリカードのフォルダ構成を示す図。
【図４】前記実施形態に係るリアプロジェクタの内部構成を示すブロック図。
【図５】前記実施形態に係るＣＰＵの構成を示すブロック図。
【図６】前記実施形態に係る制御基板の作用を示すフロー図。
【図７】画像音声再生中にスクリーンに表示される画面を示す図。
【図８】本発明の第２実施形態に係る第２メモリカードのフォルダ構成を示す図。
【図９】前記実施形態に係る再生順序ファイルを示す図。
【図１０】前記実施形態に係る制御基板の作用を示すフロー図。
【符号の説明】
【００５７】
１…リアプロジェクタ（画像表示装置）、３…光学装置（画像表示手段）、４…スピーカ（音声出力手段）、５…制御基板（制御手段）、７…再生順序ファイル、１１…第１メモリスロット（記録媒体接続手段）、１２…第２メモリスロット（記録媒体接続手段）、１３…スクリーン、２１…第１メモリカード（記録媒体）、２２，６２…第２メモリカード（記録媒体）、５１…画像再生部、５２…音声コンテンツ探索部、５３…音声再生部、５４…音声コンテンツ再生規制部、２１１，２２１…Ａｌｂｕｍｓフォルダ、２２３…Ｍｕｓｉｃフォルダ（フォルダ）、Ａ，２１２Ａ，２１３Ａ…画像コンテンツ、Ｂ，２２４Ｂ，２２５Ｂ…音声コンテンツ
【図１】
2006217521.tif 000003
【図２】
2006217521.tif 000004
【図３】
2006217521.tif 000005
【図４】
2006217521.tif 000006
【図５】
2006217521.tif 000007
【図６】
2006217521.tif 000008
【図７】
2006217521.tif 000009
【図８】
2006217521.tif 000010
【図９】
2006217521.tif 000011
【図１０】
2006217521.tif 000012